【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
ワイヤレス通信ネットワークを介して通信する方法であって、
複数のデータトーンと複数の直流（ＤＣ）保護トーンとを含むメッセージを形成することと、
前記メッセージのデータ部分を搬送するために前記複数のデータトーンのうちの１つのデータトーンの値を設定することと、
前記複数のＤＣ保護トーンのうちの１つのＤＣ保護トーンの前記値として前記データトーンの前記値を繰り返すことによって前記ＤＣ保護トーンの値を設定することと、
前記複数のデータトーンと前記複数のＤＣ保護トーンとを利用して１つまたは複数のワイヤレス通信デバイスに前記メッセージを送信することと
を備え、
前記ＤＣ保護トーンは、失われるか、劣化するか、あるいは受信機ＤＣノッチフィルタによって影響を及ぼされ得る前記メッセージ中のデータを保護するトーンであり、
前記複数のＤＣ保護トーンが、｛０｝とインデックス付けされたトーンを備え、
前記複数のデータトーンの各々と残りのＤＣ保護トーンの各々とが、｛０｝とインデックス付けされた前記トーンに対するトーンインデックスを備え、
負のインデックス番号を有するトーンは、左側にあると言われ得、正のインデックス番号を有するトーンは、「右」側にあると言われ、
前記データトーンが、前記ＤＣ保護トーンから見て｛０｝とインデックス付けされた前記トーンの反対側に位置する、
方法。
【請求項２】
前記複数のＤＣ保護トーンが、前記メッセージのいかなるデータも搬送しない少なくとも１つのＤＣトーンと前記データトーンから繰り返されるデータを搬送する前記ＤＣ保護トーンとを備える、請求項１に記載の方法。
【請求項３】
前記複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−２｝とインデックス付けされた前記ＤＣ保護トーンが、｛３｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、請求項１に記載の方法。
【請求項４】
前記複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−１｝とインデックス付けされた前記ＤＣ保護トーンが、｛４｝とインデックス付けされた前記データトーンから繰り返される値を備える、ここにおいて、｛−２｝とインデックス付けされた前記ＤＣ保護トーンが、｛３｝とインデックス付けされた前記データトーンから繰り返される値を備える、ここにおいて、｛１｝とインデックス付けされた前記ＤＣ保護トーンが、｛−４｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、請求項１に記載の方法。
【請求項５】
前記複数のＤＣ保護トーンが、｛−１，０，１｝とインデックス付けされた３つのＤＣ保護トーンを備える、ここにおいて、前記複数のデータトーンが、｛−２，２｝とインデックス付けされたデータトーンを備える、ここにおいて、｛−１｝とインデックス付けされた前記ＤＣ保護トーンが、｛２｝とインデックス付けされた前記データトーンから繰り返される値を備える、ここにおいて、｛１｝とインデックス付けされた前記ＤＣ保護トーンが、｛−２｝とインデックス付けされた前記データトーンから繰り返される値を備える、請求項１に記載の方法。
【請求項６】
前記データトーンから繰り返されるデータを搬送する少なくとも前記ＤＣ保護トーンが、前記複数のデータトーンよりも低いレートで符号化される、請求項１に記載の方法。
【請求項７】
少なくとも前記データトーンと前記データトーンから繰り返されるデータを搬送する前記ＤＣ保護トーンとが、前記データトーンを含まない前記複数のデータトーンよりも低いレートで符号化される、請求項１に記載の方法。
【請求項８】
ワイヤレス通信ネットワークを介して通信するための装置であって、
複数のデータトーンと複数の直流（ＤＣ）保護トーンとを含むメッセージを形成するための手段と、
前記メッセージのデータ部分を搬送するために前記複数のデータトーンのうちの１つのデータトーンの値を設定するための手段と、
前記複数のＤＣ保護トーンのうちの１つのＤＣ保護トーンの前記値として前記データトーンの前記値を繰り返すことによって前記ＤＣ保護トーンの値を設定するための手段と、
前記複数のデータトーンと前記複数のＤＣ保護トーンとを利用して１つまたは複数のワイヤレス通信デバイスに前記メッセージを送信するための手段と
を備え、
前記ＤＣ保護トーンは、失われるか、劣化するか、あるいは受信機ＤＣノッチフィルタによって影響を及ぼされ得る前記メッセージ中のデータを保護するトーンであり、
前記複数のＤＣ保護トーンが、｛０｝とインデックス付けされたトーンを備え、
前記複数のデータトーンの各々と残りのＤＣ保護トーンの各々とが、｛０｝とインデックス付けされた前記トーンに対するトーンインデックスを備え、
負のインデックス番号を有するトーンは、左側にあると言われ得、正のインデックス番号を有するトーンは、「右」側にあると言われ、
前記データトーンが、前記ＤＣ保護トーンから見て｛０｝とインデックス付けされた前記トーンの反対側に位置する、
装置。
【請求項９】
前記複数のＤＣ保護トーンが、前記メッセージのいかなるデータも搬送しない少なくとも１つのＤＣトーンと前記データトーンから繰り返されるデータを搬送する前記ＤＣ保護トーンとを備える、請求項８に記載の装置。
【請求項１０】
前記複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−２｝とインデックス付けされた前記ＤＣ保護トーンが、｛３｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、請求項８に記載の装置。
【請求項１１】
前記複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−１｝とインデックス付けされた前記ＤＣ保護トーンが、｛４｝とインデックス付けされた前記データトーンから繰り返される値を備える、ここにおいて、｛−２｝とインデックス付けされた前記ＤＣ保護トーンが、｛３｝とインデックス付けされた前記データトーンから繰り返される値を備える、ここにおいて、｛１｝とインデックス付けされた前記ＤＣ保護トーンが、｛−４｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、請求項８に記載の装置。
【請求項１２】
前記複数のＤＣ保護トーンが、｛−１，０，１｝とインデックス付けされた３つのＤＣ保護トーンを備える、ここにおいて、前記複数のデータトーンが、｛−２，２｝とインデックス付けされたデータトーンを備える、ここにおいて、｛−１｝とインデックス付けされた前記ＤＣ保護トーンが、｛２｝とインデックス付けされた前記データトーンから繰り返される値を備える、ここにおいて、｛１｝とインデックス付けされた前記ＤＣ保護トーンが、｛−２｝とインデックス付けされた前記データトーンから繰り返される値を備える、請求項８に記載の装置。
【請求項１３】
前記データトーンから繰り返されるデータを搬送する少なくとも前記ＤＣ保護トーンが、前記複数のデータトーンよりも低いレートで符号化される、請求項８に記載の装置。
【請求項１４】
少なくとも前記データトーンと前記データトーンから繰り返されるデータを搬送する前記ＤＣ保護トーンとが、前記データトーンを含まない前記複数のデータトーンよりも低いレートで符号化される、請求項８に記載の装置。
【請求項１５】
実行されたとき、コンピュータに、請求項１−７のうちのいずれか一項に記載の方法を実行させる命令を備えるコンピュータプログラム。
【手続補正２】
【補正対象書類名】明細書
【補正対象項目名】０３６６
【補正方法】変更
【補正の内容】
【０３６６】
[00456]上記は本開示の態様を対象とするが、それの基本的範囲から逸脱することなく本開示の他の態様およびさらなる態様が考案され得、それの範囲は以下の特許請求の範囲によって決定される。
以下に本願発明の当初の特許請求の範囲に記載された発明を付記する。
［Ｃ１］
ワイヤレス通信ネットワークを介して通信する方法であって、
複数のデータトーンと１つまたは複数の直流（ＤＣ）保護トーンとを含むメッセージを形成することと、
前記メッセージのデータ部分を搬送するために前記複数のデータトーンのうちの１つのデータトーンの値を設定することと、
前記ＤＣ保護トーンの前記値として前記データトーンの前記値を繰り返すことによって前記１つまたは複数のＤＣ保護トーンのうちの１つのＤＣ保護トーンの値を設定することと、
前記複数のデータトーンと前記１つまたは複数のＤＣ保護トーンとを利用して１つまたは複数のワイヤレス通信デバイスに前記メッセージを送信することと
を備える方法。
［Ｃ２］
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、Ｃ１に記載の方法。
［Ｃ３］
前記１つまたは複数のＤＣ保護トーンが、｛０｝とインデックス付けされたトーンを備える、ここにおいて、前記複数のデータトーンと前記１つまたは複数のＤＣ保護トーンとの各々が、｛０｝とインデックス付けされた前記トーンに対するトーンインデックスを備える、ここにおいて、前記データトーンが、前記データトーンからの前記繰り返されるデータを搬送する前記ＤＣ保護トーンから見て｛０｝とインデックス付けされた前記トーンの反対側に位置する、Ｃ１に記載の方法。
［Ｃ４］
前記１つまたは複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−２｝とインデックス付けされた前記ＤＣ保護トーンが、｛３｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、Ｃ１に記載の方法。
［Ｃ５］
前記１つまたは複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−１｝とインデックス付けされた前記ＤＣ保護トーンが、｛４｝とインデックス付けされた前記データトーンから繰り返される値を備える、ここにおいて、｛−２｝とインデックス付けされた前記ＤＣ保護トーンが、｛３｝とインデックス付けされた前記データトーンから繰り返される値を備える、ここにおいて、｛１｝とインデックス付けされた前記ＤＣ保護トーンが、｛−４｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、Ｃ１に記載の方法。
［Ｃ６］
前記１つまたは複数のＤＣ保護トーンが、｛−１，０，１｝とインデックス付けされた３つのＤＣ保護トーンを備える、ここにおいて、前記複数のデータトーンが、｛−２，２｝とインデックス付けされたデータトーンを備える、ここにおいて、｛−１｝とインデックス付けされた前記ＤＣ保護トーンが、｛２｝とインデックス付けされた前記データトーンから繰り返される値を備える、ここにおいて、｛１｝とインデックス付けされた前記ＤＣ保護トーンが、｛−２｝とインデックス付けされた前記データトーンから繰り返される値を備える、Ｃ１に記載の方法。
［Ｃ７］
前記データトーンから繰り返されるデータを搬送する少なくとも前記ＤＣ保護トーンが、前記複数のデータトーンよりも低いレートで符号化される、Ｃ１に記載の方法。
［Ｃ８］
少なくとも前記データトーンと前記データトーンから繰り返されるデータを搬送する前記ＤＣ保護トーンとが、前記データトーンを含まない前記複数のデータトーンよりも低いレートで符号化される、Ｃ１に記載の方法。
［Ｃ９］
ワイヤレス通信ネットワークを介して通信するための装置であって、
複数のデータトーンと１つまたは複数の直流（ＤＣ）保護トーンとを含むメッセージを形成することと、
前記メッセージのデータ部分を搬送するために前記複数のデータトーンのうちの１つのデータトーンの値を設定することと、
前記ＤＣ保護トーンの前記値として前記データトーンの前記値を繰り返すことによって前記１つまたは複数のＤＣ保護トーンのうちの１つのＤＣ保護トーンの値を設定することと
を行うように構成されたプロセッサと、
前記プロセッサと結合され、前記複数のデータトーンと前記１つまたは複数のＤＣ保護トーンとを利用して１つまたは複数のワイヤレス通信デバイスに前記メッセージを送信するように構成された送信機と
を備える装置。
［Ｃ１０］
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、Ｃ９に記載の装置。
［Ｃ１１］
前記１つまたは複数のＤＣ保護トーンが、｛０｝とインデックス付けされたトーンを備える、ここにおいて、前記複数のデータトーンと前記１つまたは複数のＤＣ保護トーンとの各々が、｛０｝とインデックス付けされた前記トーンに対するトーンインデックスを備える、ここにおいて、前記データトーンが、前記データトーンからの前記繰り返されるデータを搬送する前記ＤＣ保護トーンから見て｛０｝とインデックス付けされた前記トーンの反対側に位置する、Ｃ９に記載の装置。
［Ｃ１２］
前記１つまたは複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−２｝とインデックス付けされた前記ＤＣ保護トーンが、｛３｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、Ｃ９に記載の装置。
［Ｃ１３］
前記１つまたは複数のＤＣ保護トーンが、｛−２，−１，０，１，２｝とインデックス付けされた５つのＤＣ保護トーンを備える、ここにおいて、前記複数のデータトーンが、｛−３，３｝とインデックス付けされたデータトーンを備える、ここにおいて、｛−１｝とインデックス付けされた前記ＤＣ保護トーンが、｛４｝とインデックス付けされた前記データトーンから繰り返される値を備える、ここにおいて、｛−２｝とインデックス付けされた前記ＤＣ保護トーンが、｛３｝とインデックス付けされた前記データトーンから繰り返される値を備える、ここにおいて、｛１｝とインデックス付けされた前記ＤＣ保護トーンが、｛−４｝とインデックス付けされた前記データトーンから繰り返される値を備える、ここにおいて、｛２｝とインデックス付けされた前記ＤＣ保護トーンが、｛−３｝とインデックス付けされた前記データトーンから繰り返される値を備える、Ｃ９に記載の装置。
［Ｃ１４］
前記１つまたは複数のＤＣ保護トーンが、｛−１，０，１｝とインデックス付けされた３つのＤＣ保護トーンを備える、ここにおいて、前記複数のデータトーンが、｛−２，２｝とインデックス付けされたデータトーンを備える、ここにおいて、｛−１｝とインデックス付けされた前記ＤＣ保護トーンが、｛２｝とインデックス付けされた前記データトーンから繰り返される値を備える、ここにおいて、｛１｝とインデックス付けされた前記ＤＣ保護トーンが、｛−２｝とインデックス付けされた前記データトーンから繰り返される値を備える、Ｃ９に記載の装置。
［Ｃ１５］
前記データトーンから繰り返されるデータを搬送する少なくとも前記ＤＣ保護トーンが、前記複数のデータトーンよりも低いレートで符号化される、Ｃ９に記載の装置。
［Ｃ１６］
少なくとも前記データトーンと前記データトーンから繰り返されるデータを搬送する前記ＤＣ保護トーンとが、前記データトーンを含まない前記複数のデータトーンよりも低いレートで符号化される、Ｃ９に記載の装置。
［Ｃ１７］
ワイヤレス通信ネットワークを介して通信するための装置であって、
複数のデータトーンと１つまたは複数の直流（ＤＣ）保護トーンとを含むメッセージを形成するための手段と、
前記メッセージのデータ部分を搬送するために前記複数のデータトーンのうちの１つのデータトーンの値を設定するための手段と、
前記ＤＣ保護トーンの前記値として前記データトーンの前記値を繰り返すことによって前記１つまたは複数のＤＣ保護トーンのうちの１つのＤＣ保護トーンの値を設定するための手段と、
前記複数のデータトーンと前記１つまたは複数のＤＣ保護トーンとを利用して１つまたは複数のワイヤレス通信デバイスに前記メッセージを送信するための手段と
を備える装置。
［Ｃ１８］
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、Ｃ１７に記載の装置。
［Ｃ１９］
前記データトーンから繰り返されるデータを搬送する少なくとも前記ＤＣ保護トーンが、前記複数のデータトーンよりも低いレートで符号化される、Ｃ１７に記載の装置。
［Ｃ２０］
少なくとも前記データトーンと前記データトーンから繰り返されるデータを搬送する前記ＤＣ保護トーンとが、前記データトーンを含まない前記複数のデータトーンよりも低いレートで符号化される、Ｃ１７に記載の装置。
［Ｃ２１］
実行されたとき、ワイヤレス通信ネットワークを介して通信する方法を実行するコードを備える非一時的コンピュータ可読媒体であって、前記方法は、
複数のデータトーンと１つまたは複数の直流（ＤＣ）保護トーンとを含むメッセージを形成することと、
前記メッセージのデータ部分を搬送するために前記複数のデータトーンのうちの１つのデータトーンの値を設定することと、
前記ＤＣ保護トーンの前記値として前記データトーンの前記値を繰り返すことによって前記１つまたは複数のＤＣ保護トーンのうちの１つのＤＣ保護トーンの値を設定することと、
前記複数のデータトーンと前記１つまたは複数のＤＣ保護トーンとを利用して１つまたは複数のワイヤレス通信デバイスに前記メッセージを送信することと
を備える、非一時的コンピュータ可読媒体。
［Ｃ２２］
前記１つまたは複数のＤＣ保護トーンが、前記メッセージのいかなるデータも搬送しない少なくとも１つのＤＣトーンと前記データトーンから繰り返されるデータを搬送する前記ＤＣ保護トーンとを備える、Ｃ２１に記載のコンピュータ可読媒体。
［Ｃ２３］
前記データトーンから繰り返されるデータを搬送する少なくとも前記ＤＣ保護トーンが、前記複数のデータトーンよりも低いレートで符号化される、Ｃ２１に記載のコンピュータ可読媒体。
［Ｃ２４］
少なくとも前記データトーンと前記データトーンから繰り返されるデータを搬送する前記ＤＣ保護トーンとが、前記データトーンを含まない前記複数のデータトーンよりも低いレートで符号化される、Ｃ２１に記載のコンピュータ可読媒体。